(57)【特許請求の範囲】
【請求項１】
車両の前方を照射する前照灯と、該前照灯を点灯させる前照灯制御手段とを備えている車両の前照灯装置であって、
上記車両が駐車場内に位置しているかを判定する位置判定手段と、
上記車両の進行方向を判定する進行方向判定手段とをさらに備えており、
上記前照灯制御手段は、上記位置判定手段により上記車両が駐車場内に位置していると判定された場合であって、上記進行方向判定手段により上記車両の進行方向が左方向又は右方向であると判定されたときには、上記前照灯を該車両の進行方向側を重点的に照射すべく点灯させるように構成されており、
上記車両の進行方向側を重点的に照射するとは、該進行方向側のみを照射する又は該進行方向側の照射範囲をその進行方向とは反対方向側の照射範囲よりも広くすることをいうことを特徴とする車両の前照灯装置。
【請求項２】
請求項１記載の車両の前照灯装置において、
上記前照灯制御手段は、上記位置判定手段により上記車両が駐車場内に位置していると判定された場合であって、上記進行方向判定手段により上記車両の進行方向が左方向又は右方向であると判定されたときには、上記前照灯を上記車両近傍の路面を照射すべく点灯させるように構成されていることを特徴とする車両の前照灯装置。
【請求項３】
請求項１又は２記載の車両の前照灯装置において、
上記前照灯制御手段は、上記車両が一般道路のカーブを走行しているときには、該車両の進行方向側を重点的に照射すべく点灯させるとともに、上記位置判定手段により上記車両が駐車場内に位置していると判定されたときには、該車両が一般道路のカーブを走行しているときよりも、上記前照灯による上記車両の進行方向側への重点的な照射のタイミングを早くするように構成されていることを特徴とする車両の前照灯装置。
【請求項４】
請求項１又は２記載の車両の前照灯装置において、
上記前照灯制御手段は、上記車両が一般道路のカーブを走行しているときには、該車両の進行方向側を重点的に照射すべく点灯させるとともに、上記位置判定手段により上記車両が駐車場内に位置していると判定されたときには、該車両が一般道路のカーブを走行しているときよりも、上記前照灯による上記車両の進行方向側への重点的な照射範囲を車幅方向外側に位置させるように構成されていることを特徴とする車両の前照灯装置。
【請求項５】
請求項３記載の車両の前照灯装置において、
上記前照灯制御手段は、上記位置判定手段により上記車両が駐車場内に位置していると判定されたときには、該車両が一般道路のカーブを走行しているときよりも、上記前照灯による上記車両の進行方向側への重点的な照射範囲を車幅方向外側に位置させるように構成されていることを特徴とする車両の前照灯装置。
【請求項６】
請求項１〜５のいずれか１つに記載の車両の前照灯装置において、
上記車両の発進意図があるかを判定する発進意図判定手段をさらに備えており、
上記前照灯制御手段は、上記位置判定手段により上記車両が駐車場内に位置していると判定された場合であって、上記発進意図判定手段により上記車両の発進意図があると判定されかつ上記進行方向判定手段により上記車両の進行方向が直進方向であると判定されたときには、上記前照灯を上記車両の中心線に対して左右対称に照射すべく点灯させるように構成されていることを特徴とする車両の前照灯装置。
【請求項７】
請求項１〜５のいずれか１つに記載の車両の前照灯装置において、
上記車両の発進意図があるかを判定する発進意図判定手段をさらに備えており、
上記前照灯制御手段は、上記位置判定手段により上記車両が駐車場内に位置していると判定された場合であって、上記発進意図判定手段により上記車両の発進意図があると判定されたときには、上記前照灯をその輝度が通常輝度よりも高くなるように点灯させる又は上記前照灯を点滅させるように構成されていることを特徴とする車両の前照灯装置。
【請求項８】
請求項６記載の車両の前照灯装置において、
上記前照灯制御手段は、上記位置判定手段により上記車両が駐車場内に位置していると判定された場合であって、上記発進意図判定手段により上記車両の発進意図があると判定されたときには、上記前照灯をその輝度が通常輝度よりも高くなるように点灯させる又は上記前照灯を点滅させるように構成されていることを特徴とする車両の前照灯装置。
【請求項９】
請求項１〜８のいずれか１つに記載の車両の前照灯装置において、
車両の後方を照射する尾灯と、
上記尾灯を点灯させる尾灯制御手段とをさらに備えており、
上記尾灯制御手段は、上記位置判定手段により上記車両が駐車場内に位置していると判定された場合であって、上記進行方向判定手段により上記車両の進行方向が左方向又は右方向であると判定されたときには、上記尾灯を該車両の進行方向とは反対方向側を重点的に照射すべく点灯させるように構成されており、
上記車両の進行方向とは反対方向側を重点的に照射するとは、該反対方向側のみを照射する又は該反対方向側の照射範囲を該進行方向側の照射範囲よりも広くすることをいうことを特徴とする車両の前照灯装置。
【発明の詳細な説明】
【技術分野】
【０００１】
本発明は、車両の前方を照射する前照灯と、この前照灯を点灯させる前照灯制御手段とを備えている車両の前照灯装置に関するものである。
【背景技術】
【０００２】
従来から、車両の前方を照射する前照灯と、この前照灯を点灯させる前照灯制御手段とを備えている車両の前照灯装置が知られている（例えば特許文献１参照）。この特許文献１の前照灯装置は、車両の周囲の照度が所定照度以下であるときには、前照灯を点灯させるとともに、この前照灯の点灯時に、車両の走行位置に基づいて、前照灯の輝度を調整するようになっている。これにより、前照灯の輝度を車両の走行位置に応じた輝度にして、前照灯の輝度が必要以上に高くなるのを抑制している。
【先行技術文献】
【特許文献】
【０００３】
【特許文献１】特開２００９−１４９１９０号公報
【発明の概要】
【発明が解決しようとする課題】
【０００４】
ところで、駐車場は、この駐車場内の駐車枠に駐車している車両や駐車場自体の暗さ等の所為で見通しが悪い場合が多い。したがって、安全性の観点から、駐車場内の駐車枠に後方駐車した車両がその駐車枠から出ようとしているとき等、車両が駐車場内に位置しているときにおいて、その進行方向をその車両周辺、特にその出ようとしている方向側に位置している他車両の運転者や歩行者等に報知することが望ましい。
【０００５】
本発明は、かかる点に鑑みてなされたものであり、その課題とするところは、車両が駐車場内に位置しているときにおいて、その進行方向をその車両周辺に位置している他車両の運転者や歩行者等に報知することにある。
【課題を解決するための手段】
【０００６】
上記の課題を解決するため、本発明は、車両が駐車場内に位置している場合であって、上記車両の進行方向が左方向又は右方向であるときに、前照灯を該進行方向側を重点的に照射するように点灯させることを特徴とする。
【０００７】
具体的には、本発明は、車両の前方を照射する前照灯と、該前照灯を点灯させる前照灯制御手段とを備えている車両の前照灯装置を対象とし、次のような解決手段を講じた。
【０００８】
すなわち、第１の発明は、上記車両が駐車場内に位置しているかを判定する位置判定手段と、上記車両の進行方向を判定する進行方向判定手段とをさらに備えており、上記前照灯制御手段は、上記位置判定手段により上記車両が駐車場内に位置していると判定された場合であって、上記進行方向判定手段により上記車両の進行方向が左方向又は右方向であると判定されたときには、上記前照灯を該車両の進行方向側を重点的に照射すべく点灯させるように構成されており、上記車両の進行方向側を重点的に照射するとは、該進行方向側のみを照射する又は該進行方向側の照射範囲をその進行方向とは反対方向側の照射範囲よりも広くすることをいうことを特徴とするものである。
【０００９】
尚、「車両の進行方向を判定する」とは、その進行方向を検知することはもちろん、その進行方向を予測することもいう。
【００１０】
本発明によれば、位置判定手段により車両が駐車場内に位置していると判定された場合であって、進行方向判定手段により車両の進行方向が左方向又は右方向であると判定されたときには、前照灯制御手段により、前照灯をその進行方向側を重点的に照射するように点灯させるので、車両が駐車場内に位置しているときにおいて、その進行方向をその車両周辺に位置している他車両の運転者や歩行者等、特にその進行方向側に位置している他車両の運転者や歩行者等に報知することができる。
【００１１】
特に、進行方向判定手段により車両の進行方向が左方向又は右方向であると予測されたときにおいて、前照灯をその進行方向側を重点的に照射するように点灯させると、その進行方向を他車両の運転者や歩行者等に早期に報知することができる。
【００１２】
第２の発明は、上記第１の発明において、上記前照灯制御手段は、上記位置判定手段により上記車両が駐車場内に位置していると判定された場合であって、上記進行方向判定手段により上記車両の進行方向が左方向又は右方向であると判定されたときには、上記前照灯を上記車両近傍の路面を照射すべく点灯させるように構成されていることを特徴とするものである。
【００１３】
これによれば、位置判定手段により車両が駐車場内に位置していると判定された場合であって、進行方向判定手段により車両の進行方向が左方向又は右方向であると判定されたときには、前照灯制御手段により、前照灯を車両近傍の路面を照射するように点灯させるので、その進行方向をその車両近傍に位置している他車両の運転者や歩行者等により一層確実に報知することができる。
【００１４】
第３の発明は、上記第１又は第２の発明において、上記前照灯制御手段は、上記車両が一般道路のカーブを走行しているときには、該車両の進行方向側を重点的に照射すべく点灯させるとともに、上記位置判定手段により上記車両が駐車場内に位置していると判定されたときには、該車両が一般道路のカーブを走行しているときよりも、上記前照灯による上記車両の進行方向側への重点的な照射のタイミングを早くするように構成されていることを特徴とするものである。
【００１５】
これによれば、位置判定手段により車両が駐車場内に位置していると判定されたときには、前照灯制御手段により、その車両が一般道路のカーブを走行しているときよりも、前照灯による車両の進行方向側への重点的な照射のタイミングを早くするので、その進行方向をその車両周辺に位置している他車両の運転者や歩行者等に早期に報知することができる。
【００１６】
第４の発明は、上記第１又は第２の発明において、上記前照灯制御手段は、上記車両が一般道路のカーブを走行しているときには、該車両の進行方向側を重点的に照射すべく点灯させるとともに、上記位置判定手段により上記車両が駐車場内に位置していると判定されたときには、該車両が一般道路のカーブを走行しているときよりも、上記前照灯による上記車両の進行方向側への重点的な照射範囲を車幅方向外側に位置させるように構成されていることを特徴とするものである。
【００１７】
ところで、車両が駐車場内に位置しているときには、車両が一般道路のカーブを走行しているときよりも、車両の旋回角度が大きく、車両が駐車場内に位置しているときにおいて、その進行方向をその車両周辺に位置している他車両の運転者や歩行者等に確実に報知するためには、車両が一般道路のカーブを走行しているときよりも、前照灯による車両の進行方向側への重点的な照射範囲を車幅方向外側に位置させることが望ましい。
【００１８】
ここで、本発明によれば、位置判定手段により車両が駐車場内に位置していると判定されたときには、前照灯制御手段により、車両が一般道路のカーブを走行しているときよりも、前照灯による車両の進行方向側への重点的な照射範囲を車幅方向外側に位置させるので、その照射範囲を車両の旋回角度に応じたものにすることができ、その進行方向をその車両周辺に位置している他車両の運転者や歩行者等に確実に報知することができる。
【００１９】
第５の発明は、上記第３の発明において、上記前照灯制御手段は、上記位置判定手段により上記車両が駐車場内に位置していると判定されたときには、該車両が一般道路のカーブを走行しているときよりも、上記前照灯による上記車両の進行方向側への重点的な照射範囲を車幅方向外側に位置させるように構成されていることを特徴とするものである。
【００２０】
これによれば、上記第４の発明と同様の作用効果が得られる。
【００２１】
第６の発明は、上記第１〜第５のいずれか１つの発明において、上記車両の発進意図があるかを判定する発進意図判定手段をさらに備えており、上記前照灯制御手段は、上記位置判定手段により上記車両が駐車場内に位置していると判定された場合であって、上記発進意図判定手段により上記車両の発進意図があると判定されかつ上記進行方向判定手段により上記車両の進行方向が直進方向であると判定されたときには、上記前照灯を上記車両の中心線に対して左右対称に照射すべく点灯させるように構成されていることを特徴とするものである。
【００２２】
これによれば、位置判定手段により車両が駐車場内に位置していると判定された場合であって、発進意図判定手段により車両の発進意図があると判定されかつ進行方向判定手段により車両の進行方向が直進方向であると判定されたときには、前照灯制御手段により、前照灯を車両の中心線に対して左右対称に照射するように点灯させるので、車両の進行方向が左方向又は右方向と判定される前（つまり、ウィンカー及びステアリングの操作がないとき）において、車両の発進意図（発進可能性）があることをその車両周辺に位置している他車両の運転者や歩行者等に報知することができる。
【００２３】
第７の発明は、上記第１〜第５のいずれか１つの発明において、上記車両の発進意図があるかを判定する発進意図判定手段をさらに備えており、上記前照灯制御手段は、上記位置判定手段により上記車両が駐車場内に位置していると判定された場合であって、上記発進意図判定手段により上記車両の発進意図があると判定されたときには、上記前照灯をその輝度が通常輝度よりも高くなるように点灯させる又は上記前照灯を点滅させるように構成されていることを特徴とするものである。
【００２４】
これによれば、位置判定手段により車両が駐車場内に位置していると判定された場合であって、発進意図判定手段により車両の発進意図があると判定されたときには、前照灯制御手段により、前照灯をその輝度が通常輝度よりも高くなるように点灯させる又は前照灯を点滅させるので、車両の発進意図（発進可能性）があることをその車両周辺に位置している他車両の運転者や歩行者等により一層明確に報知することができる。
【００２５】
第８の発明は、上記第６の発明において、上記前照灯制御手段は、上記位置判定手段により上記車両が駐車場内に位置していると判定された場合であって、上記発進意図判定手段により上記車両の発進意図があると判定されたときには、上記前照灯をその輝度が通常輝度よりも高くなるように点灯させる又は上記前照灯を点滅させるように構成されていることを特徴とするものである。
【００２６】
これによれば、上記第７の発明と同様の作用効果が得られる。
【００２７】
第９の発明は、上記第１〜第８のいずれか１つの発明において、車両の後方を照射する尾灯と、上記尾灯を点灯させる尾灯制御手段とをさらに備えており、上記尾灯制御手段は、上記位置判定手段により上記車両が駐車場内に位置していると判定された場合であって、上記進行方向判定手段により上記車両の進行方向が左方向又は右方向であると判定されたときには、上記尾灯を該車両の進行方向とは反対方向側を重点的に照射すべく点灯させるように構成されており、上記車両の進行方向とは反対方向側を重点的に照射するとは、該反対方向側のみを照射する又は該反対方向側の照射範囲を該進行方向側の照射範囲よりも広くすることをいうことを特徴とするものである。
【００２８】
これによれば、位置判定手段により車両が駐車場内に位置していると判定された場合であって、進行方向判定手段により車両の進行方向が左方向又は右方向であると判定されたときには、尾灯制御手段により、尾灯をその進行方向とは反対方向側を重点的に照射するように点灯させるので、車両の後部の移動方向をその車両周辺に位置している他車両の運転者や歩行者等に報知することができる。
【発明の効果】
【００２９】
本発明によれば、位置判定手段により車両が駐車場内に位置していると判定された場合であって、進行方向判定手段により車両の進行方向が左方向又は右方向であると判定されたときには、前照灯制御手段により、前照灯をその進行方向側を重点的に照射するように点灯させるので、車両が駐車場内に位置しているときにおいて、その進行方向をその車両周辺に位置している他車両の運転者や歩行者等に報知することができる。
【図面の簡単な説明】
【００３０】
【図１】本発明の実施形態に係る車両の前照灯装置を示すブロック図である。
【図２】車両を示す側面図である。
【図３】前照灯本体を示す概略平面図であり、（ａ）は、車両の一般道路における通常走行時における点灯状態、（ｂ）は、車両が駐車場内に位置している場合であって、その進行方向が直進方向のときにおける点灯状態、（ｃ）は、車両が駐車場内に位置している場合であって、その進行方向が左方向のときにおける点灯状態を示している。
【図４】ステアリングの舵角と前照灯の光軸の角度との関係を示すグラフである。
【図５】車両が駐車場内に位置しているとき及び車両が一般道路のカーブを走行しているときにおける前照灯の点灯状態を示す平面図である。
【図６】車両が駐車場内に位置しているときにおける前照灯及び尾灯の点灯状態の一例を示す平面図である。
【図７】車両が駐車場内に位置しているときにおける前照灯及び尾灯の点灯状態の一例を示す平面図である。
【図８】車両が駐車場内に位置しているときにおける前照灯及び尾灯の点灯状態の一例を示す平面図である。
【図９】車両が駐車場内に位置しているときにおける前照灯及び尾灯の点灯状態の一例を示す平面図である。
【図１０】車両が駐車場内に位置しているときにおける前照灯及び尾灯の点灯状態の一例を示す平面図である。
【図１１】前照灯装置による前照灯及び尾灯の点灯制御を示すフローチャートである。
【図１２】前照灯本体の変形例を示す概略平面図であり、（ａ）は、車両の一般道路における通常走行時における点灯状態、（ｂ）は、車両が駐車場内に位置している場合であって、その進行方向が直進方向のときにおける点灯状態、（ｃ）は、車両が駐車場内に位置している場合であって、その進行方向が左方向のときにおける点灯状態を示している。
【図１３】前照灯本体の別の変形例を示す概略平面図であり、（ａ）は、車両の一般道路における通常走行時における点灯状態、（ｂ）は、車両が駐車場内に位置している場合であって、その進行方向が直進方向のときにおける点灯状態、（ｃ）は、車両が駐車場内に位置している場合であって、その進行方向が左方向のときにおける点灯状態を示している。
【発明を実施するための形態】
【００３１】
以下、本発明の実施形態を図面に基づいて詳細に説明する。
【００３２】
本発明の実施形態に係る車両Ｖに搭載された前照灯装置は、図１に示すように、車両Ｖ（図２等を参照）の前端部に配設され、車両Ｖの前方を照射する左右一対の前照灯１と、車両Ｖの後端部に配設され、車両Ｖの後方を照射する左右一対の尾灯２と、前照灯１及び尾灯２を点灯させる照灯制御部３（前照灯制御手段、後照灯制御手段）とを備えている。この照灯制御部３には、前照灯１及び尾灯２とともに、車両（自車）Ｖが駐車場Ｐ（図６等を参照）内に位置しているかを判定する位置判定部４（位置判定手段）と、運転者による車両Ｖの発進意図があるかを判定する発進意図判定部５（発進意図判定手段）と、車両Ｖの進行（挙動）方向を判定（検知又は予測）する進行方向判定部６（進行方向判定手段）とが、信号の授受可能に接続されている。
【００３３】
上記位置判定部４には、車両Ｖのパーキングブレーキのオンオフ状態を検出するパーキングブレーキオンオフ状態センサ７０と、車両Ｖのシフトポジションを検出するシフトポジションセンサ７１（シフトポジション検出手段）と、車両Ｖの位置を検出するナビゲーションシステム７２とが、信号の授受可能に接続されている。このナビゲーションシステム７２は、ＧＰＳからのデータや内蔵された地図データなどに基づいて、車両Ｖの位置を検知するようになっている。上記発進意図判定部５には、車両Ｖのブレーキペダルの開度を検出するブレーキペダル開度センサ７３と、車両Ｖのアクセルペダルの開度を検出するアクセルペダル開度センサ７４とが、信号の授受可能に接続されている。上記進行方向判定部６には、車両Ｖのステアリングの舵角を検出する舵角センサ７５と、車両Ｖのウィンカーの操作状態を検出するウィンカー操作状態センサ７６とが、信号の授受可能に接続されている。
【００３４】
図２に示すように、上記各前照灯１は、前照灯本体１０（一般のヘッドライトに相当するもの）と、この前照灯本体１０よりも下方に配設され、車両Ｖ近傍の路面（例えば、車両Ｖ前端から数ｍの範囲の路面）を照射する補助灯１１とを有している。尚、前照灯本体１０のみを点灯しても、その車両Ｖ近傍の路面を十分に照射することはできない。
【００３５】
図３に示すように、上記前照灯本体１０は、主光源１０ａと、この主光源１０ａの車幅方向両側にそれぞれ配設された補助光源１０ｂとを有している。これらの主光源１０ａ及び補助光源１０ｂは、例えば、ＬＥＤからなる。主光源１０ａは、その光軸を水平方向において車両左右方向にスイブルさせることが可能になっている。そして、図３（ａ）に示すように、車両Ｖの一般道路における通常走行時は、主光源１０ａの光軸を車両前後方向に向けた状態で、主光源１０ａのみを点灯させる（尚、図３の一点鎖線は光軸、白い１０ａ及び１０ｂは点灯状態、黒い１０ａ及び１０ｂは消灯状態を示している）。一方、図３（ｂ）に示すように、車両Ｖが駐車場Ｐ内に位置している場合であって、その進行方向が直進方向のときは、主光源１０ａの光軸を車両前後方向に向けた状態で、主光源１０ａ及び補助光源１０ｂの全てを点灯させる。また、図３（ｃ）に示すように、車両Ｖが駐車場Ｐ内に位置している場合であって、その進行方向が左方向又は右方向のときは、光軸をその進行方向側にスイブルさせた状態で、主光源１０ａを点灯させるとともに、補助光源１０ｂのうち、その進行方向側のもののみを点灯させる（図３（ｃ）はその進行方向が左方向の場合を示している）。また、車両Ｖが駐車場Ｐ内に位置しているときは、前照灯本体１０とともに、補助灯１１も点灯させる。
【００３６】
上記各尾灯２は、図示は省略するが、前照灯本体１０と同様、主光源と、この主光源の車幅方向両側にそれぞれ配設された補助光源とを有している。主光源は、その光軸を水平方向において左右方向にスイブルさせることが可能になっている。そして、車両Ｖが駐車場Ｐ内に位置している場合であって、その進行方向が左方向又は右方向であると判定されたときは、光軸をその進行方向とは反対方向側にスイブルさせた状態で、主光源を点灯させるとともに、補助光源のうち、その進行方向とは反対方向側のもののみを点灯させる。
【００３７】
図１に示すように、上記位置判定部４は、パーキングブレーキオンオフ状態センサ７０及びシフトポジションセンサ７１からの入力信号に基づいて、車両Ｖが駐車場Ｐ内に位置しているかを判定する。具体的には、パーキングブレーキがオン状態になりかつシフトポジションがＰ（パーキング）ポジションになってから所定時間経過後、パーキングブレーキがオフ状態（リリース状態）になりかつシフトポジションがＤ（ドライブ）ポジション又はＲ（リバース）ポジションになったときには、車両Ｖが駐車場Ｐ内に位置していると判定する。或いは、位置判定部４は、ナビゲーションシステム７２からの入力信号に基づいて、車両Ｖが駐車場Ｐ内に位置しているかを判定する。
【００３８】
上記発進意図判定部５は、ブレーキペダル開度センサ７３及びアクセルペダル開度センサ７４からの入力信号に基づいて、車両Ｖの発進意図があるかを判定する。具体的には、ある時間のブレーキペダルの開度をθ０、その時間から所定時間経過後のブレーキペダルの開度をθ１とすると、θ０≦θ１のときには、車両Ｖの発進意図がないと判定する一方、θ０＞θ１のとき（つまり、ブレーキペダルを緩めたとき）には、車両Ｖの発進意図があると判定する。また、アクセルペダルの開度θが０のときには、車両Ｖの発進意図がないと判定する一方、その開度θが０よりも大きいときには、車両Ｖの発進意図があると判定する。
【００３９】
上記進行方向判定部６は、舵角センサ７５及びウィンカー操作状態センサ７６からの入力信号に基づいて、車両Ｖの進行方向を判定する。具体的には、ウィンカーの左方向指示操作があるときには、その進行方向が左方向（又は左前方方向）であると判定する一方、ウィンカーの右方向指示操作があるときには、その進行方向が右方向（又は右前方方向）であると判定する。また、進行方向判定部６は、ウィンカーの操作がないときには、舵角センサ７５からの入力信号に基づいて、車両Ｖの進行方向を判定する。具体的には、舵角をθとすると、θ＞＋α（αは０よりも大きい数）であるときには、ステアリングが左方向に操作された（切られた）として、その進行方向が左方向であると判定する一方、θ＜−αであるときには、ステアリングが右方向に操作されたとして、その進行方向が右方向であると判定する。また、−α≦θ≦＋αであるときには、ステアリングの操作がないとして、その進行方向が直進方向（正面方向）であると判定する。
【００４０】
上記照灯制御部３は、配光マップ（この詳細の説明は省略する）を予め記憶している記憶部３０を有していて、位置判定部４、発進意図判定部５、及び進行方向判定部６の判定結果に基づいて、その判定結果に応じた配光マップを選定して記憶部３０から読み出し、その配光マップに基づいて、前照灯１及び尾灯２の配光を調整する。具体的には、位置判定部４により車両Ｖが駐車場Ｐ内に位置していると判定された場合であって、シフトポジションセンサ７１によりシフトポジションがＤポジションであることが検出されかつ進行方向判定部６により車両Ｖの進行方向が直進方向であると判定されたときには、発進意図判定部５の判定結果に拘わらず、前照灯１を車両Ｖの前後方向に延びる中心線Ｌ（図６等を参照）に対して左右対称に照射するように点灯させる。このとき、前照灯１を車両Ｖ近傍の路面を照射するように点灯させる。但し、車両Ｖが駐車場Ｐ内に位置していると判定された場合であって、シフトポジションがＤポジションであることが検出され、車両Ｖの発進意図があると判定されかつ車両Ｖの進行方向が直進方向であると判定されたときには、前照灯１をその輝度が、車両Ｖが一般道路を走行しているときにおける通常輝度よりも高くなるように点滅させる。
【００４１】
また、照灯制御部３は、位置判定部４により車両Ｖが駐車場Ｐ内に位置していると判定された場合であって、シフトポジションセンサ７１によりシフトポジションがＤポジションであることが検出されかつ進行方向判定部６により車両Ｖの進行方向が左方向又は右方向であると判定（検知又は予測）されたときには、発進意図判定部５の判定結果に拘わらず、前照灯１を車両Ｖの中心線Ｌに対してその進行方向側を重点的に照射するように点灯させるとともに、尾灯２を車両Ｖの中心線Ｌに対してその進行方向とは反対方向側を重点的に照射するように点灯させる。このとき、前照灯１を車両Ｖ近傍の路面を照射するように点灯させる。但し、車両Ｖが駐車場Ｐ内に位置していると判定された場合であって、シフトポジションがＤポジションであることが検出され、車両Ｖの発進意図があると判定されかつ車両Ｖの進行方向が左方向又は右方向であると判定されたときには、前照灯１及び尾灯２をその輝度が通常輝度よりも高くなるように点滅させる。尚、「その進行方向側を重点的に照射する」とは、例えば、その進行方向側のみを照射したり、その進行方向側の照射範囲をその進行方向とは反対方向側の照射範囲よりも広くしたりすることをいう。「その進行方向とは反対方向側を重点的に照射する」も、それと同様のことをいう。
【００４２】
さらに、照灯制御部３は、車両Ｖが一般道路のカーブ（左カーブ又は右カーブ）を走行しているときにも、前照灯１を車両Ｖの進行方向側を重点的に照射するように点灯させるが（このような機能を有する前照灯をＡＦＳという）、位置判定部４により車両Ｖが駐車場Ｐ内に位置していると判定されたときには、車両Ｖが一般道路のカーブを走行しているときよりも、前照灯１による車両Ｖの進行方向側への重点的な照射のタイミングを早くする。
【００４３】
この詳細を図４を参照しながら説明する。この図４は、ステアリングの舵角と前照灯１（主光源１０ａ）の光軸の角度との関係を示すグラフである。図４の縦軸は、光軸方向の車両前後方向に対する角度の大きさを示しており、光軸が左方向にスイブルされたときは正、右方向にスイブルされたときは負とする。図４の横軸は、舵角の大きさを示しており、ステアリングが左方向に操作されたときは正、右方向に操作されたときは負とする。そして、図４の実線は、車両Ｖが駐車場Ｐ内に位置しているときにおける光軸の角度変化、破線は、車両Ｖが一般道路のカーブを走行しているときにおける光軸の角度変化を示している。
【００４４】
図４に示すように、光軸をスイブルさせる舵角の大きさ（つまり、上記αに相当するもの）が、車両Ｖが駐車場Ｐ内に位置しているときには、一般道路のカーブを走行しているときよりも小さくなっている。これにより、前照灯１による車両Ｖの進行方向側への重点的な照射のタイミングが、車両Ｖが駐車場Ｐ内に位置しているときには、一般道路のカーブを走行しているときよりも早くなる。また、光軸の角度変化が、いずれのときも、舵角が大きくなるほど大きくなっている。そして、図５に示すように、前照灯１の照射範囲が、車両Ｖが駐車場Ｐ内に位置しているとき（図５の実線を参照）には、一般道路のカーブを走行しているとき（図５の破線を参照）よりも、光軸（図５の一点鎖線を参照）の角度変化が大きい故にその進行方向外側（車幅方向外側）に位置しているとともに、車両Ｖ近傍に位置している。
【００４５】
以下、車両Ｖが駐車場Ｐ内に位置しているときにおける前照灯１及び尾灯２の点灯状態の例を図６〜図１０を参照しながら説明する。尚、図６〜図１０では、その斑点部が前照灯１及び尾灯２の照射範囲を示している。
【００４６】
図６〜図９は、車両Ｖが駐車場Ｐ内のある駐車枠に後方駐車した後、その駐車枠から左前進して出ようとする場合を示している。図６に示すように、車両Ｖの発進意図がなく、ウィンカー及びステアリングの操作がない状態で、シフトポジションがＰポジションからＤポジションになると、その進行方向が左方向又は右方向と判定される前であるとして、前照灯１が車両Ｖの中心線Ｌに対して左右対称に照射するように点灯する。
【００４７】
図７に示すように、シフトポジションがＤポジションであり、ウィンカー及びステアリングの操作がない状態で、車両Ｖの発進意図があると、その進行方向が左方向又は右方向と判定される前であるとして、前照灯１が車両Ｖの中心線Ｌに対して左右対称に照射するように点滅する（図７の三角形は点滅状態を示している）。このとき、前照灯１の輝度が通常輝度よりも高くなる。
【００４８】
図８に示すように、シフトポジションがＤポジションであり、車両Ｖの発進意図がない状態で、ウィンカーが左方向指示操作される又はステアリングが左方向に操作されると、その進行方向が左方向と予測したとして、前照灯１が左方向側を重点的に照射するように点灯するとともに、尾灯２が右方向側を重点的に照射するように点灯する。
【００４９】
図９に示すように、シフトポジションがＤポジションの状態で、車両Ｖの発進意図があり、ウィンカーが左方向指示操作される又はステアリングが左方向に操作されると、その進行方向が左方向と予測又は検知したとして、前照灯１が左方向側を重点的に照射するように点滅するとともに、尾灯２が右方向側を重点的に照射するように点滅する（図９の三角形は点滅状態を示している）。このとき、前照灯１及び尾灯２の輝度が通常輝度よりも高くなる。
【００５０】
図１０は、車両Ｖが駐車場Ｐ内のある縦列駐車枠に駐車した後、その駐車枠から右前進して出ようとする場合を示している。このように、車両Ｖが縦列駐車枠から前進して出ようとする場合は、ウィンカーの操作がないことが多く、その進行方向が車両Ｖ周辺に位置している他車両の運転者や歩行者等に分かり難い。
【００５１】
図１０に示すように、シフトポジションがＤポジションであり、ウィンカー及びステアリングの操作がない状態で、車両Ｖの発進意図があると、前照灯１が車両Ｖの中心線Ｌに対して左右対称に照射するように点滅する（図１０の実線を参照）。続いて、シフトポジションがＤポジションであり、車両Ｖの発進意図がある状態で、ステアリングが右方向に操作されると、前照灯１が右方向側を重点的に照射するように点滅するとともに、尾灯２が左方向側を重点的に照射するように点滅する（図１０の実線に一番近い二点鎖線を参照）。次に、シフトポジションがＤポジションであり、車両Ｖの発進意図がある状態で、ステアリングが元に戻されると、前照灯１が車両Ｖの中心線Ｌに対して左右対称に照射するように点滅する（図１０の実線に二番目に近い二点鎖線を参照）。続いて、シフトポジションがＤポジションであり、車両Ｖの発進意図がある状態で、ステアリングが左方向に操作されると、前照灯１が左方向側を重点的に照射するように点滅するとともに、尾灯２が右方向側を重点的に照射するように点滅する（図１０の実線から一番遠い二点鎖線を参照）。
【００５２】
以下、前照灯装置による前照灯１及び尾灯２の点灯制御を図１１のフローチャートを参照しながら説明する。まず、ステップＳ１では、パーキングブレーキオンオフ状態センサ７０及びシフトポジションセンサ７１からの入力信号又はナビゲーションシステム７２からの入力信号に基づいて、位置判定部４により、車両Ｖが駐車場Ｐ内に位置しているかを判定する。続くステップＳ２では、ブレーキペダル開度センサ７３及びアクセルペダル開度センサ７４からの入力信号に基づいて、発進意図判定部５により、車両Ｖの発進意図があるかを判定する。続くステップＳ３では、舵角センサ７５及びウィンカー操作状態センサ７６からの入力信号に基づいて、進行方向判定部６により、車両Ｖの進行方向を判定する。
【００５３】
続くステップＳ４では、位置判定部４、発進意図判定部５、及び進行方向判定部６の判定結果に基づいて、照灯制御部３により、その判定結果に応じた配光マップを選定する。続くステップＳ５では、照灯制御部３により、ステップＳ５で選定した配光マップを記憶部３０から読み出す。続くステップＳ６では、ステップＳ６で読み出した配光マップに基づいて、照灯制御部３により、前照灯１及び尾灯２の配光を調整する。その後、エンドに進む。尚、上記点灯制御は周期的に繰り返される。
【００５４】
−効果−
以上より、本実施形態によれば、位置判定部４により車両Ｖが駐車場Ｐ内に位置していると判定された場合であって、シフトポジションセンサ７１によりシフトポジションがＤポジションであることが検出されかつ進行方向判定部６により車両Ｖの進行方向が左方向又は右方向であると判定されたときには、照灯制御部３により、前照灯１をその進行方向側を重点的に照射するように点灯させるので、車両Ｖが駐車場Ｐ内に位置しているときにおいて、その進行方向をその車両Ｖ周辺に位置している他車両の運転者や歩行者等、特にその進行方向側に位置している他車両の運転者や歩行者等に報知することができ、その進行方向について、その車両Ｖの運転者と他車両の運転者や歩行者等との間で意思疎通を図ることができる。
【００５５】
特に、進行方向判定部６により車両Ｖの進行方向が左方向又は右方向であると予測されたときにおいて、前照灯１をその進行方向側を重点的に照射するように点灯させるので、その進行方向を他車両の運転者や歩行者等に早期に報知することができる。
【００５６】
また、前照灯１をその進行方向側を重点的に照射するように点灯させるので、車両Ｖの運転者がその進行方向側に位置している他車両や歩行者等を見易くすることができる。
【００５７】
さらに、位置判定部４により車両Ｖが駐車場Ｐ内に位置していると判定された場合であって、シフトポジションセンサ７１によりシフトポジションがＤポジションであることが検出されかつ進行方向判定部６により車両Ｖの進行方向が左方向又は右方向であると判定されたときには、照灯制御部３により、前照灯１を車両Ｖ近傍の路面を照射するように点灯させるので、その進行方向をその車両Ｖ近傍に位置している他車両の運転者や歩行者等により一層確実に報知することができる。
【００５８】
また、位置判定部４により車両Ｖが駐車場Ｐ内に位置していると判定されたときには、照灯制御部３により、その車両Ｖが一般道路のカーブを走行しているときよりも、前照灯１による車両Ｖの進行方向側への重点的な照射のタイミングを早くするので、その進行方向をその車両Ｖ周辺に位置している他車両の運転者や歩行者等に早期に報知することができる。
【００５９】
ところで、車両Ｖが駐車場Ｐ内に位置しているときには、車両Ｖが一般道路のカーブを走行しているときよりも、車両Ｖの旋回角度が大きく、車両Ｖが駐車場Ｐ内に位置しているときにおいて、その進行方向をその車両Ｖ周辺に位置している他車両の運転者や歩行者等に確実に報知するためには、車両Ｖが一般道路のカーブを走行しているときよりも、前照灯１による車両Ｖの進行方向側への重点的な照射範囲を車幅方向外側に位置させることが望ましい。
【００６０】
ここで、本実施形態によれば、位置判定部４により車両Ｖが駐車場Ｐ内に位置していると判定されたときには、前照灯制御部３により、車両Ｖが一般道路のカーブを走行しているときよりも、前照灯１による車両Ｖの進行方向側への重点的な照射範囲を車幅方向外側に位置させるので、その照射範囲を車両Ｖの旋回角度に応じたものにすることができ、その進行方向をその車両Ｖ周辺に位置している他車両の運転者や歩行者等に確実に報知することができる。
【００６１】
さらに、位置判定部４により車両Ｖが駐車場Ｐ内に位置していると判定された場合であって、シフトポジションセンサ７１によりシフトポジションがＤポジションであることが検出され、発進意図判定部５により車両Ｖの発進意図があると判定されかつ進行方向判定部６により車両Ｖの進行方向が直進方向であると判定されたときには、照灯制御部３により、前照灯１を車両Ｖの中心線に対して左右対称に照射するように点灯させるので、車両Ｖの進行方向が左方向又は右方向と判定される前（つまり、ウィンカー及びステアリングの操作がないとき）において、車両Ｖの発進意図（発進可能性）があることをその車両Ｖ周辺に位置している他車両の運転者や歩行者等に報知することができる。
【００６２】
また、位置判定部４により車両Ｖが駐車場Ｐ内に位置していると判定された場合であって、シフトポジションセンサ７１によりシフトポジションがＤポジションであることが検出されかつ発進意図判定部５により車両Ｖの発進意図があると判定されたときには、照灯制御部３により、前照灯１をその輝度が通常輝度よりも高くなるように点滅させるので、車両Ｖの発進意図（発進可能性）があることをその車両Ｖ周辺に位置している他車両の運転者や歩行者等により一層明確に報知することができる。
【００６３】
さらに、位置判定部４により車両Ｖが駐車場Ｐ内に位置していると判定された場合であって、シフトポジションセンサ７１によりシフトポジションがＤポジションであることが検出されかつ進行方向判定部６により車両Ｖの進行方向が左方向又は右方向であると判定されたときには、照灯制御部３により、尾灯２をその進行方向とは反対方向側を重点的に照射するように点灯させるので、車両Ｖの後部の移動方向をその車両Ｖ周辺に位置している他車両の運転者や歩行者等に報知することができる。
【００６４】
（その他の実施形態）
上記実施形態では、前照灯本体１０や尾灯２を、主光源１０ａと、この主光源１０ａの車幅方向両側にそれぞれ配設された補助光源１０ｂとで構成しているが、これに限らない。
【００６５】
例えば、図１２に示すように、前照灯本体１０等を、シャッター付きの主光源１０ａと、この主光源１０ａの車幅方向両側に２つずつそれぞれ配設された補助光源１０ｂとで構成しても良い。この場合、図１２（ａ）に示すように、車両Ｖの一般道路における通常走行時は、主光源１０ａの光軸を車両前後方向に向けた状態で、主光源１０ａのみを点灯させる（尚、図１２の一点鎖線は光軸、白い１０ａ及び１０ｂは点灯状態、黒い１０ａ及び１０ｂは消灯状態、白黒の１０ａはシャッターで覆ったときにおける点灯状態を示している）。一方、図１２（ｂ）に示すように、車両Ｖが駐車場Ｐ内に位置している場合であって、その進行方向が直進方向のときは、主光源１０ａの光軸を車両前後方向に向けた状態で、主光源１０ａ及び補助光源１０ｂの全てを点灯させる。また、図１２（ｃ）に示すように、車両Ｖが駐車場Ｐ内に位置している場合であって、その進行方向が左方向又は右方向のときは、光軸を車両前後方向に向けかつその進行方向とは反対方向側の上部をシャッターで覆った状態で、主光源１０ａを点灯させるとともに、補助光源１０ｂのうち、その進行方向側のもののみを点灯させる（図１２（ｃ）はその進行方向が左方向の場合を示している）。
【００６６】
或いは、図１３に示すように、前照灯本体１０を、円状に並ぶように配設された複数の主光源１０ａで構成しても良い。この場合、図１３（ａ）に示すように、車両Ｖの一般道路における通常走行時は、主光源１０ａのうち、車両左右方向中央部に配設されたもののみを点灯させる（尚、図１３の一点鎖線は光軸、白い１０ａは点灯状態、黒い１０ａは消灯状態を示している）。一方、図１３（ｂ）に示すように、車両Ｖが駐車場Ｐ内に位置している場合であって、その進行方向が直進方向のときは、主光源１０ａ全てを点灯させる。また、図１３（ｃ）に示すように、車両Ｖが駐車場Ｐ内に位置している場合であって、その進行方向が左方向又は右方向のときは、主光源１０ａのうち、その進行方向側のもののみを点灯させる（図１３（ｃ）はその進行方向が左方向の場合を示している）。
【００６７】
また、上記実施形態では、前照灯本体１０と補助灯１１を別体にしているが、これらを一体にしても良い。
【００６８】
本発明は、実施形態に限定されず、その精神又は主要な特徴から逸脱することなく他の色々な形で実施することができる。
【００６９】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００７０】
以上説明したように、本発明に係る車両の前照灯装置は、車両が駐車場内に位置しているときにおいて、その進行方向をその車両周辺に位置している他車両の運転者や歩行者等に報知することが必要な用途等に適用することができる。
【符号の説明】
【００７１】
１  前照灯
２  尾灯
３  照灯制御部（前照灯制御手段、尾灯制御手段）
４  位置判定部（位置判定手段）
５  発進意図判定部（発進意図判定手段）
６  進行方向判定部（進行方向判定手段）
Ｌ  中心線
Ｐ  駐車場
Ｖ  車両
【図１】
0005853711.tif 000002
【図２】
0005853711.tif 000003
【図３】
0005853711.tif 000004
【図４】
0005853711.tif 000005
【図５】
0005853711.tif 000006
【図６】
0005853711.tif 000007
【図７】
0005853711.tif 000008
【図８】
0005853711.tif 000009
【図９】
0005853711.tif 000010
【図１０】
0005853711.tif 000011
【図１１】
0005853711.tif 000012
【図１２】
0005853711.tif 000013
【図１３】
0005853711.tif 000014